【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】下記グループＡの化合物を含有し、かつ下記グループＢ〜Ｇのいずれかの化合物をさらに含有する強誘電液晶混合物：
Ａ．式（Ｉ）で表わされる５−アリールインダン誘導体、
【化１】
2001520256.tif 000001
式中、記号および添字は下記の意味を有する：
Ｒ１およびＲ２は相互に独立して、
(a) 水素原子、-F、-CL、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
B3) このアルキル基中の１個または２個以上の水素原子は、Fおよび／またはClにより置き換えられていてもよい、および／または、
b4) この基中に存在する末端CH３基は、下記カイラル基（光学活性またはラセミ体）のいずれか一つにより置き換えられていてもよい：
【化２】
2001520256.tif 000002
【化３】
2001520256.tif 000003
ただし、Ｒ１、Ｒ２の一方のみが、水素原子、-F、-Cl、-CN、-CF３または-OCF３であることができる、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、FまたはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｒ８は、
a)水素原子、ハロゲン原子またはCNであり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-、-S-、-CO-、-CO-O-または-O-CO-により置き換えられていてもよい、および／または、
b2) この基中に存在する１個または２個以上の-CH２-は、-CH=CH-または-C≡C-により置き換えられていてもよい、および／または、
b3) このアルキル基中の１個または２個以上の水素原子は、Fおよび／またはClにより置き換えられていてもよい、
Ｙ１、Ｙ２およびＹ３は相互に独立して、-CF-、-N-または-CH-であり、ただしＹ１、Ｙ２およびＹ３の少なくとも１個は、-N-または-CF-である；
Ｍ１、Ｍ２、Ｍ３は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２、Ａ３は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、チオフェン−２，５−ジイル（この基中に存在する１個または２個のH原子は、Fにより置き換えられていてもよい）、［１，３，４］−チアジアゾール−２，５−ジイル、［１，３］−チアゾール−２，４−ジイル（この基中に存在する１個のH原子は、Fにより置き換えられていてもよい）、［１，３］−チアゾール−２，５−ジイル（この基中に存在する１個のH原子は、Fにより置き換えられていてもよい）、または１，３−ジオキサン−２，５−ジイルであり、
ａ、ｂ、ｃは、０または１である、
ただし、式（Ｉ）で表わされる化合物は、４個よりも多くの数の５員または６員の環系を含有することはできない；
Ｂ．式（ＩＩ）で表わされるフェナントレン誘導体：
【化４】
2001520256.tif 000004
式中、記号および添字は下記の意味を有する：
Ｅ１、Ｅ２、Ｅ３、Ｅ４、Ｅ５およびＥ６は、-N--CF-または-CH-であり、ただし下記条件を有する：
Ｅ１（Ｅ４）が-N-または-CF-である場合、Ｅ２およびＥ３（Ｅ５およびＥ６）は、-CH-でなければならない；
Ｅ２および／またはＥ３（Ｅ５および／またはＥ６）が-CF-である場合、Ｅ１（Ｅ４）は、-CH-でなければならない；
Ｅ２（Ｅ５）が-N-である場合、Ｅ１（Ｅ４）は、-CH-でなけれぱならないが、Ｅ３（Ｅ６）は、-CH-または-CF-であることができ、および
Ｅ１〜Ｅ６の少なくとも１個は、-N-または-CF-でなければならない、
Ｇは、-CH２CH２-または-CH=CH-であり、
Ｒ１およびＲ２は相互に独立して、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端CH３基は、下記カイラル基（光学活性またはラセミ体）の一つにより置き換えられていてもよい：
【化５】
2001520256.tif 000005
【化６】
2001520256.tif 000006
ただし、Ｒ１、Ｒ２の一方のみが、水素原子、-F、-Cl、-CN-、-CF３または-O-CF３であることができる、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、FまたはClにより置き換えられていてもよい、
c)Ｒ４  およびＲ５はまた、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、Ｍ１、Ｍ２は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNおよび／またはFおよび／またはCH３により置き換えられていてもよい）、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂは、０または１である、
ただし、式（ＩＩ）で表わされる化合物は、３個よりも多くの数の５員または６員の環系を含有することはできない；
Ｃ．式（ＩＩＩ）で表わされる２−フルオロピリジン誘導体：
【化７】
2001520256.tif 000007
式中、記号および添字は下記の意味を有する：
Ｒ１およびＲ２は相互に独立して、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端CH３基は、下記カイラル基（光学活性またはラセミ体）のいずれか一つにより置き換えられていてもよい：
【化８】
2001520256.tif 000008
【化９】
2001520256.tif 000009
ただし、Ｒ１、Ｒ２の一方のみが、水素原子、-F、-Cl、-CN、-CF３または-OCF３であることができる、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、FまたはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｍ１、Ｍ２、Ｍ３、Ｍ４は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２、Ａ３、Ａ４は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNおよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂ、ｃ、ｄは、０または１である、
ただし、式（ＩＩＩ）で表わされる化合物は、４個よりも多くの数の５員または６員の環系を含有することはできない；
Ｄ．式（ＩＶ）で表わされるフェニレン誘導体：
【化１０】
2001520256.tif 000010
式中、記号および添字は下記の意味を有する：
Ｒ１およびＲ２は相互に独立して、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端CH３基は、下記カイラル基（光学活性またはラセミ体）のいずれか一つにより置き換えられていてもよい：
【化１１】
2001520256.tif 000011
【化１２】
2001520256.tif 000012
ただし、Ｒ１、Ｒ２の一方のみが、水素原子、-F、-Cl、-CN、-CF３または-O-CF３であることができる、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、FまたはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｘ１およびＸ２は相互に独立して、水素、F、Cl、CF３またはCNである、ただしＸ１およびＸ２は同時に水素ではない、
Ｍ１、Ｍ２、Ｍ３、Ｍ４は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２、Ａ３、Ａ４は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNおよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、１，２，３，４−テトラヒドロナフタレン−２，６−ジイル、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂ、ｃ、ｄは、０または１である、
ただし、式（ＩＶ）で表わされる化合物は、４個よりも多くの数の５員または６員の環系を含有することはできない；
Ｅ．式（Ｖ）で表わされるメタ置換芳香族化合物：
【化１３】
2001520256.tif 000013
式中、記号および添字は下記の意味を有する：
Ｘ３は、
(a) -F、-Cl、-Br、-CN、-CF３または-OCF３であり、
(b) 炭素原子１〜１２個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-または-O-CO-により置き換えられていてもよい、および／または
b2) このアルキル基中の１個または２個以上の水素原子は、Fおよび／またはClおよび／またはCNにより置き換えられていてもよい、
Ｒ１は、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端-CH３基は、下記カイラル基（光学活性またはラセミ体）のいずれか一つにより置き換えられていてもよい：
【化１４】
2001520256.tif 000014
【化１５】
2001520256.tif 000015
ただし、Ｘ３が、-F、-Cl、-Br、-CN、-CF３または-OCF３である場合、Ｒ１は、水素原子、-F、-Cl、-CN、-CF３または-OCF３であることはできない、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、Fおよび／またはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｍ１、Ｍ２、Ｍ３は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２、Ａ３は相互に独立して、
１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNおよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂ、ｃは、０または１である、
ただし、式（Ｖ）で表わされる化合物は、４個よりも多くの数の５員または６員の環系を含有することはできない；
Ｆ．式（ＶＩ）で表わされる（１，３，４）−チアジアゾール化合物：
【化１６】
2001520256.tif 000016
式中、記号および添字は下記の意味を有する：
Ｒ１およＲ２は相互に独立して、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端CH３基は、下記カイラル基（光学活性またはラセミ体）のいずれか一つにより置き換えられていてもよい：
【化１７】
2001520256.tif 000017
【化１８】
2001520256.tif 000018
ただし、Ｒ１、Ｒ２の一方のみが、水素原子、-F、-Cl、-CN、-CF３または-OCF３であることができる、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、FまたはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｘ１、Ｘ２、Ｘ３は相互に独立して、-CF-、-N-または-CH-であり、
Ｍ１、Ｍ２は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２、Ａ３は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個の水素原子は、CNおよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂ、ｃは、０または１である、
ただし、式（ＶＩ）で表わされる化合物は、４個よりも多くの数の５員または６員の環系を含有することはできない；
Ｇ．式（ＶＩＩ）で表わされる４−シアノシクロヘキシル化合物：
【化１９】
2001520256.tif 000019
式中、記号および添字は下記の意味を有する：
Ｒ１は、
(a) 水素原子、-F、-Cl、-CN、-CF３または-OCF３であり、
(b) 炭素原子１〜２０個を有する直鎖状または分枝鎖状アルキル基であり（この基は不斉炭素原子を有するか、または有していない）、
b1) この基中に存在する１個の-CH２-基または隣接していない２個以上の-CH２-基および非末端-CH２-基は、-O-、-S-、-CO-、-CO-O-、-O-CO-、-O-CO-O-または-Si(CH３)２-により置き換えられていてもよい、および／または
b2) この基中に存在する１個または２個以上の-CH２-基は、-CH=CH-、-C≡C-、１，４−シクロヘキシレン、１，４−フェニレン、シクロプロパン−１，２−ジイルまたは１，３−シクロペンチレンにより置き換えられていてもよい、および／または
b3) このアルキル基中の１個または２個以上の水素原子は、Fおよび／またはClにより置き換えられていてもよい、および／または、
b4) この基中に存在する末端CH３基は、下記カイラル基（光学活性またはラセミ体）のいずれか一つにより置き換えられていてもよい：
【化２０】
2001520256.tif 000020
【化２１】
2001520256.tif 000021
Ｒ２は、
(a) 炭素原子１〜１６個を有する直鎖状または分枝鎖状アルキル基であり（この基は不斉炭素原子を有するか、または有していない）、
a1) この基中に存在する１個の-CH２-基または隣接していない２個の-CH２-基および非末端-CH２-基は、-O-、-S-、-CO-、-CO-O-、-O-CO-または-Si(CH３)２-により置き換えられていてもよい、および／または
a2) この基中に存在する１個または２個の-CH２-基は、-CH=CH-、-C≡C-により置き換えられていてもよい、および／または
a3) このアルキル基中の１個または２個以上の水素原子は、Fおよび／またはClおよび／またはCNおよび／またはCF３により置き換えられていてもよい、
Ｒ３、Ｒ４、Ｒ５、Ｒ６、Ｒ７は相互に独立して、
a)水素原子であり、
b)炭素原子１〜１６個を有する直鎖状または分枝鎖状アルキル基であり（この基は、不斉炭素原子を有しているか、または有していない）、
b1) この基中に存在する１個の-CH２-基または隣接していない２個以上の-CH２-基および非末端-CH２-基は、-O-により置き換えられていてもよい、および／または
b2) この基中に存在する１個または２個の-CH２-基は、-CH=CH-により置き換えられていてもよい、および／または
b3) このアルキル基中の１個または２個以上の水素原子は、Fおよび／またはClにより置き換えられていてもよい、
c)Ｒ４およびＲ５は、これらがオキシラン、ジオキソラン、テトラヒドロフラン、テトラヒドロピラン、ブチロラクトンまたはバレロラクトン系に結合している場合、一緒になって-(CH２)４-または-(CH２)５-を表わすことができ、
Ｍ１、Ｍ２は相互に独立して、-CO-O-、-O-CO-、-CH２-O-、-O-CH２-、-CH２-CH２-、-CH=CH-、-C≡C-、-CH２-CH２-CO-O-、-O-CO-CH２-CH２-または単結合であり、
Ａ１、Ａ２は相互に独立して、１，４−フェニレン（この基中に存在する１個または２個以上のH原子は、F、Clおよび／またはCNにより置き換えられていてもよい）、ピリジン−２，５−ジイル（この基中に存在する１個のH原子は、Fにより置き換えられていてもよい）、ピリミジン−２，５−ジイル、ピラジン−２，５−ジイル（この基中に存在する１個のH原子は、Fにより置き換えられていてもよい）、ピリダジン−３，６−ジイル（この基中に存在する１個のH原子は、Fにより置き換えられていてもよい）、１，４−シクロヘキシレン（この基中に存在する１個または２個のH原子は、CNおよび／またはFおよび／またはCH３により置き換えられていてもよい）、ナフタレン−２，６−ジイル（この基中に存在する１個または２個以上のH原子は、F、Clおよび／またはCNにより置き換えられていてもよい）、チオフェン−２，５−ジイル、［１，３，４］−チアジアゾール−２，５−ジイル、［１，３］−チアゾール−２，４−ジイル、［１，３］−チアゾール−２，５−ジイルまたは１，３−ジオキサン−２，５−ジイルであり、
ａ、ｂは、０または１である、
ただし、式（ＶＩＩ）で表わされる化合物は、４個よりも多くの数の５員または６員の環系を含有することはできない。
【請求項２】２〜３５種のグループＡ〜Ｇの化合物を含有する請求項１に記載の混合物。
【請求項３】グループＡ〜Ｇの化合物を、少なくとも５重量％の量で含有する請求項１または２のいずれかに記載の混合物。
【請求項４】下記各群から選択される化合物の組合わせを含有する請求項１〜３のいずれかに記載の混合物：
ａ）Ａ＋Ｂ    ｂ）Ａ＋Ｃ    ｃ）Ａ＋Ｄ
ｄ）Ａ＋Ｅ    ｅ）Ａ＋Ｆ    ｆ）Ａ＋Ｇ。
【請求項５】下記各群から選択される化合物の組合わせを含有する請求項１〜４のいずれかに記載の混合物：
ａ）Ａ＋Ｂ＋Ｃ    ｂ）Ａ＋Ｂ＋Ｄ    ｃ）Ａ＋Ｂ＋Ｅ    ｄ）Ａ＋Ｂ＋Ｆ
ｅ）Ａ＋Ｂ＋Ｇ    ｆ）Ａ＋Ｃ＋Ｄ    ｇ）Ａ＋Ｃ＋Ｅ    ｈ）Ａ＋Ｃ＋Ｆ
ｉ）Ａ＋Ｃ＋Ｇ    ｊ）Ａ＋Ｄ＋Ｅ    ｋ）Ａ＋Ｄ＋Ｆ    ｌ）Ａ＋Ｄ＋Ｇ
ｍ）Ａ＋Ｅ＋Ｆ    ｎ）Ａ＋Ｅ＋Ｇ    ｏ）Ａ＋Ｆ＋Ｇ。
【請求項６】下記各群から選択される化合物の組合わせを含有する請求項１〜５のいずれかに記載の混合物：
ａ）Ａ＋Ｂ＋Ｃ＋Ｄ    ｂ）Ａ＋Ｂ＋Ｃ＋Ｅ    ｃ）Ａ＋Ｂ＋Ｃ＋Ｆ
ｄ）Ａ＋Ｂ＋Ｃ＋Ｇ    ｅ）Ａ＋Ｂ＋Ｄ＋Ｅ    ｆ）Ａ＋Ｂ＋Ｄ＋Ｆ
ｇ）Ａ＋Ｂ＋Ｄ＋Ｇ    ｈ）Ａ＋Ｂ＋Ｅ＋Ｆ    ｉ）Ａ＋Ｂ＋Ｅ＋Ｇ
ｊ）Ａ＋Ｂ＋Ｆ＋Ｇ    ｋ）Ａ＋Ｃ＋Ｄ＋Ｅ    ｌ）Ａ＋Ｃ＋Ｄ＋Ｆ
ｍ）Ａ＋Ｃ＋Ｄ＋Ｇ    ｎ）Ａ＋Ｃ＋Ｅ＋Ｆ    ｏ）Ａ＋Ｃ＋Ｅ＋Ｇ
ｐ）Ａ＋Ｃ＋Ｆ＋Ｇ    ｑ）Ａ＋Ｄ＋Ｅ＋Ｆ    ｒ）Ａ＋Ｄ＋Ｅ＋Ｇ
ｓ）Ａ＋Ｄ＋Ｆ＋Ｇ    ｔ）Ａ＋Ｅ＋Ｆ＋Ｇ。
【請求項７】式（Ｉ）で表わされる化合物Ａが、式（ＩＡ）で表わされるインダンのフッ素化誘導体である請求項１〜６のいずれかに記載の混合物：
【化２２】
2001520256.tif 000022
式中、記号および添字は下記の意味を有する：
Ｒ１：水素であるか、または炭素原子１〜２０個を有する直鎖状または分枝鎖状アルキル基であり（この基は不斉炭素原子を有するか、または有していない）、この基中に存在する１個の-CH２-基または隣接していない２個以上の-CH２-基および非末端-CH２-基は、-O-、-CO-O-、-O-CO-、-OC(=O)-または-Si(CH３)２-により置き換えられていてもよく、およびこの基中に存在する１個または２個以上の水素原子は、Fにより置き換えられていてもよい、
およびａが０ではない場合にのみ、Ｒ１は水素であることができる、
Ｒ２  ：水素であるか、または炭素原子１〜２０個を有する直鎖状または分枝鎖状アルキル基であり（この基は不斉炭素原子を有するか、または有していない）、この基中に存在する１個の非末端CH２-基は、-O-により置き換えられていてもよく、およびこの基中に存在する１個または２個以上の水素原子は、Fにより置き換えられていてもよい、またｄが０ではない場合にのみ、Ｒ２は水素であることができる、
Ｍ１  ：-CO-O-、-O-CO-、-CH２-O-、-O-CH２-、-CH２-CH２-、-C≡C-または単結合である、
Ｍ２  ：-CH２-CH２-または単結合である、
Ａ１  ：１，４−フェニレン（この基中に存在する１個または２個のH原子は、Fにより置き換えられていてもよい）、ピリジン−２，５−ジイル（この基中に存在する１個のH原子は、Fにより置き換えられていてもよい）、ピリミジン−２，５−ジイル（この基中に存在する１個のH原子は、Fにより置き換えられていてもよい）、１，４−シクロヘキシレン、４−（４−Ｒ１−シクロヘキシル）フェニレン、４−ビフェニル−４´−イル（この基中に存在する１個または２個のH原子は、Fにより置き換えられていてもよい）、または４−（１−Ｒ１−シラシクロヘキサン−４−イル）フェニレンである、
Ａ２  ：１，４−シクロヘキシレンまたは１，４−フェニレン（この基中に存在する１個または２個のH-原子は、Fにより置き換えられていてもよい）である、
Ｘ：HまたはFである、
ａ、ｂ：０または１である、ただし、（ａ＋ｂ）の合計は、少なくとも１である。
【請求項８】式（ＩＡ）の記号および添字が、下記の意味の一つまたは二つ以上を有する請求項７に記載の混合物：
Ｒ１、Ｒ２は同一または相違しており、
a)炭素原子１〜１８個を有する直鎖状または分枝鎖状アルキル基であり（この基は不斉炭素原子を有するか、または有していない）、
b)この基中に存在する１個の非末端CH２-基は、-O-により置き換えられていてもよい、
c)この基中に存在する１個または２個以上のH-原子は、Fにより置き換えられていてもよい、
Ｍ１は、-CH２-CH２-、-C≡C-または単結合であり、
Ａ１は、１，４−フェニレン（この基中に存在する１個または２個のH-原子は、Fにより置き換えられていてもよい）、ピリジン−２，５−ジイル（この基中に存在する１個のH-原子は、Fにより置き換えられていてもよい）、またはピリミジン−２，５−ジイルであり、
Ａ２は、１，４−シクロヘキシレンであり、
Ｘは、Hであり、
ａは、１であり、および
ｂは、０である。
【請求項９】式（ＩＡ）で表わされる化合物が、下記式（Ｉａ）〜（Ｉｎ）で表わされる化合物からなる群から選択される、請求項７または８のいずれかに記載の混合物：    
【化２３】
2001520256.tif 000023
【化２４】
2001520256.tif 000024
【化２５】
2001520256.tif 000025
各式中、
Ｒ３は、炭素原子１〜１２個を有する直鎖状または分枝鎖状アルキル基またはアルキルオキシ基であり、および
Ｒ４は、炭素原子１〜１２個を有する直鎖状または分枝鎖状アルキル基である。
【請求項１０】請求項１、７、８または９のいずれかに定義されているとおりのグループＡの化合物。
【請求項１１】請求項１〜９のいずれかに記載の混合物を含有する強誘電液晶表示デバイス。
【請求項１２】τＶｍｉｎ−モードで動作する、請求項１１に記載のデバイス。